(57)【要約】      （修正有）【課題】ガラス板を使用せず施工も簡単な防煙垂壁を提供する。【解決手段】防煙垂壁１は、矩形状の樹脂パネル１１と、樹脂パネルの上縁部が挿入される上溝部が形成された長尺状の上部レール１４と、樹脂パネルの側縁部が挿入される側溝部が形成され、上部レールに取り付けられる長尺状の側部レール１７と、樹脂パネルの下縁部が挿入される下溝部が形成され、側部レールに取り付けられる長尺状の下部レール２０とを備え、上部レールの上溝部と反対側には、上部レールを天井２に取り付けるための固定金具３８がネジ止めされるスライドレール２２，２２が形成されている。樹脂パネルの枠体が上部レール、側部レール及び下部レールで構成されているので、取付箇所と寸法が合わない場合でも、それらのレールを適宜切断して組み合わせることにより施工を完了させることができる。【選択図】図１
0003189440.tif 000002
【実用新案登録請求の範囲】
【請求項１】
矩形状の樹脂パネルと、
前記樹脂パネルの上縁部が挿入される上溝部が形成された長尺状の上部レールと、
前記樹脂パネルの側縁部が挿入される側溝部が形成され、前記上部レールに取り付けられる長尺状の側部レールと、
前記樹脂パネルの下縁部が挿入される下溝部が形成され、前記側部レールに取り付けられる長尺状の下部レールとを備え、
前記上部レールの前記上溝部と反対側には、前記上部レールを天井に取り付けるための取付具がネジ止めされる取付部が形成されていることを特徴とする防煙垂壁。
【請求項２】
前記取付部が前記上部レールの長手方向に沿って形成され、前記取付具が前記上部レールの長手方向に沿った任意の位置でネジ止めされることを特徴とする請求項１に記載の防煙垂壁。
【請求項３】
前記樹脂パネルが湾曲した状態で前記上溝部、前記側溝部及び前記下溝部に挿入されていることを特徴とする請求項１又は２に記載の防煙垂壁。
【考案の詳細な説明】
【技術分野】
【０００１】
本考案は、天井に取り付けられて火災時の煙の流動拡散を防止する防煙垂壁（バリアウォール）に関する。
【背景技術】
【０００２】
駅やオフィスビル、商業施設、工場、駐車場等の屋内では、一般に、火災時の煙の流動拡散を防止する防煙垂壁が、天井から垂下するように設けられている。防煙垂壁は、従来、ガラス板で構成されることが多かったが、震災時に落下して割れると避難の妨げになることから、ガラス板を使わないものが注目されつつある。ガラス板を使わない防煙垂壁としては、例えば特許文献１に記載されているように、繊維強化シートが張設されたユニット式のパネルで構成されるものが知られている。
【先行技術文献】
【特許文献】
【０００３】
【特許文献１】特開２０１３−１２３４７２号公報
【考案の概要】
【考案が解決しようとする課題】
【０００４】
ところで、特許文献１に記載された防煙垂壁の施工時には、繊維強化シートが張設されたパネルを施行現場に持ち込み、そこで組み付けることになるが、パネルを組み付けたときの寸法が防煙垂壁の取付箇所の寸法と合わない場合に、パネルの寸法を調整することが難しく、直ちに施工を完了させることができないという問題がある。
【０００５】
本考案は、上記の事情に鑑みてなされたもので、ガラス板を使用せず施工も簡単な防煙垂壁を提供することを課題としている。
【課題を解決するための手段】
【０００６】
上記課題を解決するために、請求項１に係る考案は、矩形状の樹脂パネルと、前記樹脂パネルの上縁部が挿入される上溝部が形成された長尺状の上部レールと、前記樹脂パネルの側縁部が挿入される側溝部が形成され、前記上部レールに取り付けられる長尺状の側部レールと、前記樹脂パネルの下縁部が挿入される下溝部が形成され、前記側部レールに取り付けられる長尺状の下部レールとを備え、前記上部レールの前記上溝部と反対側には、前記上部レールを天井に取り付けるための取付具がネジ止めされる取付部が形成されている防煙垂壁を特徴とする。
【０００７】
請求項２に係る考案は、請求項１に記載の防煙垂壁において、前記取付部が前記上部レールの長手方向に沿って形成され、前記取付具が前記上部レールの長手方向に沿った任意の位置でネジ止めされることを特徴とする。
【０００８】
請求項３に係る考案は、請求項１又は２に記載の防煙垂壁において、前記樹脂パネルが湾曲した状態で前記上溝部、前記側溝部及び前記下溝部に挿入されていることを特徴とする。
【０００９】
請求項１に係る考案によれば、ガラス板の代わりに樹脂パネルが使用され、また、樹脂パネルの枠体が特許文献１のようにユニット化されたものではなく上部レール、側部レール及び下部レールで構成されているので、施工時には金物工事工やガラス工の業者を必要とせず内装工の業者のみで施工を行うことができ、取付箇所と寸法が合わない場合でも、それらのレールを適宜切断して組み合わせることにより施工を完了させることが可能で、ガラス板を使用せず施工も簡単な防煙垂壁が提供される。
【００１０】
また、天井に取り付けるための取付具が上部レールにネジ止めされるので、ネジ止め時に上部レールの取付部に対する角度を調整することによって、システム天井に対する防煙垂壁の設置角度を調整することができる。
【００１１】
請求項２に係る考案によれば、取付部が上部レールの長手方向に沿って形成され、取付具が上部レールの長手方向に沿った任意の位置でネジ止めされるので、ネジ止め時に上部レールの取付部に対する位置を調整することによって、天井に対する防煙垂壁の設置位置を調整することができる。
【００１２】
請求項３に係る考案によれば、樹脂パネルが湾曲した状態で上溝部、側溝部及び下溝部に挿入されているので、樹脂パネルと上溝部、側溝部又は下溝部の内壁面との間の隙間が減少又は消滅して樹脂パネルのガタを防止することができる。
【考案の効果】
【００１３】
本考案によれば、ガラス板を使用せず施工も簡単な防煙垂壁が得られる。
【図面の簡単な説明】
【００１４】
【図１】考案を実施するための形態に係る防煙垂壁とシステム天井を示す説明図である。
【図２】図１のＡーＡ線に沿った断面を拡大して示す説明図である。
【図３】図１のＢーＢ線に沿った断面を拡大して示す説明図である。
【図４】図１のＣーＣ線に沿った断面を拡大して示す説明図である。
【図５】図１の固定金具を拡大して示す説明図である。
【考案を実施するための形態】
【００１５】
本考案を実施するための形態について、図面を用いて説明する。
【００１６】
図１は、本考案に係る防煙垂壁１が、一般天井（在来天井）である天井２に設置された例を示す。
【００１７】
天井２は、吊りボルト３及びナット４，５により図示を略す建物の躯体に取り付けられたハンガー６と、ハンガー６に支持されて略水平方向に延在するチャンネル７と、チャンネル７に被せられたクロス金具８と、クロス金具８に吊り下げられ、チャンネル７の下方でチャンネル７と直交して略水平方向に延在するバー９と、バー９に下方から当接する天井ボード１０とを備える。
【００１８】
防煙垂壁１は、図２乃至４にも示すように、矩形状の樹脂パネル１１と、樹脂パネル１１の上縁部１２が挿入される上溝部１３を有して略水平方向に延在する上部レール１４と、樹脂パネル１１の側縁部１５が挿入される側溝部１６を有して略鉛直方向に延在する側部レール１７と、樹脂パネル１１の下縁部１８が挿入される下溝部１９を有して略水平方向に延在する下部レール２０とを備える。ここでは、樹脂パネル１１は、不燃性のメラミン化粧板、透明板又は不透明板であり、上部レール１４、側部レール１７及び下部レール２０は、アルミニウムの押出成形品である。
【００１９】
上部レール１４は、長尺平板状の基部２１の上下に一対のスライドレール２２，２２及び一対の枠レール２３，２３が設けられて構成されている。すなわち、基部２１の上面には、互いに対向する一対のスライドレール２２，２２が基部２１の長手方向に沿って延設され、各スライドレール２２の上部には、他のスライドレール２２の側に屈曲した屈曲部２４が設けられている。二つの屈曲部２４，２４は所定距離だけ離間し、その間にはスリット２５が形成されている。また、基部２１の下面には、互いに対向する一対の枠レール２３，２３が基部２１の長手方向に沿って延設され、この一対の枠レール２３，２３の対向空間に上溝部１３が形成され、樹脂パネル１１の上縁部１２が、断面コ字状の塩化ビニル製のブラケット２６を介して、その上溝部１３に保持されている。
【００２０】
側部レール１７は、一対の枠レール２７，２７が連結部２８で連結されてなる断面Ｈ字状を呈している。連結部２８を挟んだ一対の枠レール２７，２７の二つの対向空間にそれぞれ側溝部１６が形成され、樹脂パネル１１の側縁部１５が、その側溝部１６に挿入されている。側部レール１７の上端部２９は、組ネジ３０により、上部レール１４に取り付けられている。
【００２１】
下部レール２０は、一対の枠レール３１，３１が連結部３２で連結されてなる断面Ｕ字状を呈している。一対の枠レール３１，３１の対向空間に下溝部１９が形成され、樹脂パネル１１の下縁部１８が、断面コ字状の塩化ビニル製のブラケット３３を介して、その下溝部１９に保持されている。下縁部１８と一方の枠レール３１（図１の奥側の枠レール３１）との間には、下溝部１９の略全長にわたって断熱シール材のパッキン３４が挿入され、樹脂パネル１１は、下部レール２０から上部レール１４にかけて、他方の枠レール３１の側に膨出する（凸となる）ようになだらかに湾曲し、側溝部１６の内壁面３５に一部が当接している。下部レール２０は、組ネジ３６により、側部レール１７の下端部３７に取り付けられている。
【００２２】
上部レール１４は、図５に示すように、固定金具３８によりチャンネル７に固定されている。固定金具３８は、チャンネル７に引っ掛かり係合する係合部３９と、係合部３９と一体成形されて上部レール１４が取り付けられるフランジ部４０とを備える。フランジ部４０は、屈曲部２４，２４の離間距離（スリット２５の幅）と略同径の図示を略す挿通穴を有し、その下面が屈曲部２４，２４の上面に当接した状態で、スリット２５と当該挿通穴とを挿通するボルト４１、及び、ボルト４１と螺合するナット４２，４２に挟持されてネジ止めされる。
【００２３】
係合部３９は、フランジ部４０から起立してチャンネル７に係合された状態でチャンネル７の側面４３に当接する当接部４４と、当接部４４の上縁部から横方向に延在する上板部４５と、上板部４５の当接部４４とは反対側の縁部から下方向に延在して当接部４４と対向する側板部４６とを備える。側面４３及び当接部４４は、それぞれ重なり合う位置に図示を略すネジ穴を有し、これらのネジ穴と螺合するネジ４７により結合され、当接部４４及び側板部４６は、それぞれ対向する位置に図示を略すネジ穴を有し、これらのネジ穴と螺合するボルト４８により締結されている。また、上板部４５は図示を略すネジ穴を有し、このネジ穴に螺合して先端部４９がチャンネル７の上面５０に当接する高さ調整ネジ５１により、固定金具３８のチャンネル７に対する高さ位置が調整されるようになっている。
【００２４】
上部レール１４が固定金具３８によりチャンネル７に固定されると、基部２１の上面で一対のスライドレール２２，２２の外側の部分が天井ボード１０に下方から当接する。
【００２５】
この実施の形態に係る防煙垂壁１では、ガラス板の代わりに樹脂パネル１１が使用され、また、樹脂パネル１１の枠体が上部レール１４、側部レール１７及び下部レール２０で構成されているので、施工時には内装工の業者のみで施工を行うことができ、取付箇所と寸法が合わない場合でも、それらのレールを適宜切断して組み合わせることにより施工を完了させることが可能で、ガラス板を使用せず施工も簡単である。特に、上部レール１４、側部レール１７及び下部レール２０はアルミニウム製であるので、切断が容易で寸法調整が容易である。
【００２６】
また、天井２に取り付けるための固定金具３８が、スライドレール２２，２２の長手方向に沿った任意の位置でネジ止めされるので、ネジ止め時に上部レール１４の固定金具３８に対する角度（スライドレール２２，２２のフランジ部４０に対する角度）を調整し、上部レール１４の固定金具３８に対する位置（フランジ部４０のスライドレール２２，２２上におけるスライド位置）を調整することによって、天井２に対する防煙垂壁１の設置角度、設置位置を調整することができる。
【００２７】
さらに、樹脂パネル１１が湾曲した状態で上溝部１２、側溝部１６及び下溝部１９に挿入されているので、側部レール１７の一方の枠レール２６の内壁面３４に一部が当接して樹脂パネル１１と側溝部１６の内壁面との間の隙間が減少又は消滅し、しかも、樹脂パネル１１にテンションがかかっていることも相俟って、樹脂パネル１１のガタを効果的に防止することができる。
【００２８】
以上、本考案を実施するための形態について例示したが、本考案の実施形態は上述したものに限られず、考案の趣旨を逸脱しない範囲で適宜変更等してもよい。例えば、上記形態では防煙垂壁を一般天井に設置したが、システム天井に設置してもよく、また、上記形態では上部レールをチャンネルと直交する方向に設置したが、スライドレールと固定金具とのネジ止めに際して両者の相対角度を調整することにより、上部レールをチャンネルと平行する方向に設置しても、あるいは、斜めに交わる方向に設置してもよい。
【産業上の利用可能性】
【００２９】
本考案は、駅やオフィスビル、商業施設、工場、駐車場等の屋内のみならず、広く構造物一般の屋内に設置される防煙垂壁に利用することができる。
【符号の説明】
【００３０】
１      防煙垂壁
２      天井
１１    樹脂パネル
１２    上縁部
１３    上溝部
１４    上部レール
１５    側縁部
１６    側溝部
１７    側部レール
１８    下縁部
１９    下溝部
２０    下部レール
２２    スライドレール（取付部）
３８    固定金具（取付具）
【図１】
0003189440.tif 000003
【図２】
0003189440.tif 000004
【図３】
0003189440.tif 000005
【図４】
0003189440.tif 000006
【図５】
0003189440.tif 000007